(57)【要約】【課題】通信機器を任意の位置に容易に増設することができる、電話子機及び電話システムを提供すること。【解決手段】電話親機８に対して無線接続された電話子機１０であって、電話親機８との間において無線通信を行う無線通信手段と、電話親機８及び電話子機１０以外の通信機器であるデジタルＴＶ３０を電話子機１０に対して有線接続するための接続手段と、接続手段にて接続されたデジタルＴＶ３０と電話親機８との相互間において無線通信手段を介した通信を可能とする通信制御手段とを備える。【選択図】図１
2009224823.tif 000002
【特許請求の範囲】
【請求項１】
電話親機に対して無線接続された電話子機であって、
前記電話親機との間において無線通信を行う無線通信手段と、
前記電話親機及び当該電話子機以外の通信機器を当該電話子機に対して有線接続するための接続手段と、
前記接続手段にて接続された前記通信機器と前記電話親機との相互間において前記無線通信手段を介した通信を可能とする通信制御手段と、
を備えることを特徴とする電話子機。
【請求項２】
前記接続手段は、モジュラージャック又はＬＡＮコネクタであること、
を特徴とする請求項１に記載の電話子機。
【請求項３】
光通信システムに対して接続された電話親機と、当該電話親機に対して無線接続された電話子機とを備える電話システムであって、
前記電話子機には、前記電話親機との間において無線通信を行う無線通信手段と、前記電話親機及び当該電話子機以外の通信機器を当該電話子機に対して有線接続するための接続手段と、前記接続手段にて接続された前記通信機器と前記電話親機との相互間において前記無線通信手段を介した通信を可能とする通信制御手段とを備え、
前記電話子機及び前記電話親機を介して、前記通信機器を前記光通信システムに接続可能としたこと、
を特徴とする電話システム。
【請求項４】
前記通信機器には、前記電話子機を制御するための電話子機制御手段を設けたこと、
を特徴とする請求項３に記載の電話システム。
【発明の詳細な説明】
【技術分野】
【０００１】
本発明は、電話親機に対して無線接続された電話子機、及びこの電話子機を備えた電話システムに関する。
【背景技術】
【０００２】
今日、ＦＴＴＨ（Ｆｉｂｅｒ  Ｔｏ  Ｔｈｅ  Ｈｏｍｅ）を用いた光ＩＰ電話機が普及してきている。この光ＩＰ電話システムでは、例えば、住宅に引き込まれた光ファイバに光回線終端装置（ＯＮＵ：  Ｏｐｔｉｃａｌ  Ｎｅｔｗｏｒｋ  Ｕｎｉｔ）を有線接続し、この回線終端装置にネットワークアダプタを有線接続し、このネットワークアダプタに対して光ＩＰ電話機を有線接続している。そして、２台目以降の光ＩＰ電話機を増設する場合には、増設対象となる光ＩＰ電話機をさらにネットワークアダプタに対して有線接続する必要が生じる。このような光電話回線を構築するため、例えば特許文献１には光中継器が開示されている。
【０００３】
【特許文献１】特開２００５−１５９６１６号公報
【発明の開示】
【発明が解決しようとする課題】
【０００４】
しかしながら、従来の光ＩＰ電話システムでは、光ＩＰ電話機を増設する場合には、光ＩＰ電話機をネットワークアダプタに対して有線接続する必要があったので、接続ケーブルの引き回しが面倒であった。特に、１台目の光ＩＰ電話機が設置されている部屋とは別の部屋に２台目以降の光ＩＰ電話機を増設することが多いため、接続ケーブルを複数の部屋の相互間に引き回すことになり、接続ケーブルの処理が面倒であったり、接続ケーブルによって光ＩＰ電話機の配置位置が制限される等の問題があった。また光ＩＰ電話機の増設以外にも、各種のネットワーク機器をＬＡＮコネクタが配置されていない部屋に設置する場合には、ＬＡＮコネクタが配置されている部屋から引き出されたＬＡＮケーブルを介してネットワーク機器を接続する必要があり、光ＩＰ電話機の増設時と同様の問題があった。
【０００５】
本発明はこのような問題に鑑みてなされたもので、通信機器を任意の位置に容易に増設することができる、電話子機及び電話システムを提供することを目的とする。
【課題を解決するための手段】
【０００６】
このような課題を解決するため、請求項１に記載の電話子機は、電話親機に対して無線接続された電話子機であって、前記電話親機との間において無線通信を行う無線通信手段と、前記電話親機及び当該電話子機以外の通信機器を当該電話子機に対して有線接続するための接続手段と、前記接続手段にて接続された前記通信機器と前記電話親機との相互間において前記無線通信手段を介した通信を可能とする通信制御手段とを備えることを特徴とする。
【０００７】
請求項２に記載の電話子機は、請求項１に記載の電話子機において、前記接続手段は、モジュラージャック又はＬＡＮコネクタであることを特徴とする。
【０００８】
請求項３に記載の電話システムは、光通信システムに対して接続された電話親機と、当該電話親機に対して無線接続された電話子機とを備える電話システムであって、前記電話子機には、前記電話親機との間において無線通信を行う無線通信手段と、前記電話親機及び当該電話子機以外の通信機器を当該電話子機に対して有線接続するための接続手段と、前記接続手段にて接続された前記通信機器と前記電話親機との相互間において前記無線通信手段を介した通信を可能とする通信制御手段とを備え、前記電話子機及び前記電話親機を介して、前記通信機器を前記光通信システムに接続可能としたことを特徴とする。
【０００９】
請求項４に記載の電話システムは、請求項３に記載の電話システムにおいて、前記通信機器には、前記電話子機を制御するための電話子機制御手段を設けたことを特徴とする。
【発明の効果】
【００１０】
請求項１に記載の電話子機や請求項３に記載の電話システムによれば、電話親機及び電話子機を介して通信機器に通信信号を出力できるので、部屋に通信アダプタを増設したり、部屋から部屋に通信ケーブルを引き回す必要がなくなるので、通信機器の設置が容易になると共に、通信機器の設置位置の自由度を高めることができる。
【００１１】
請求項２に記載の電話子機によれば、モジュラージャックに電話線を接続したりＬＡＮコネクタにＬＡＮケーブルを接続することが容易にできるので、通信機器の設置が一層容易になる。
【００１２】
請求項４に記載の電話システムによれば、通信機器側から電話子機を制御できるので、電話子機の電源のＯＮ／ＯＦＦを制御することで通信機能を維持したり、電話子機を介して所定の電話番号に自動発信することで通信を自動的に行うことが可能になる。
【発明を実施するための最良の形態】
【００１３】
〔Ｉ〕本実施の形態
以下に、添付図面を参照して、本発明に係る電話子機及び電話システムの実施の形態を詳細に説明する。この形態は、通信機器としてのデジタルＴＶを電話子機を介してネットワークに接続する形態である。
【００１４】
（構成）
最初に、本実施の形態に係る電話システムの全体構成について説明する。図１は電話システムを住宅内に設置した状態を模式的に示す機能図である。図１に示すように、住宅Ｈの外部から引き込まれた光ケーブル１は当該住宅Ｈの外壁に設置されたＯＮＵ２に接続されており、このＯＮＵ２から引き出されたＬＡＮケーブル３が部屋Ｒ１に設置されたＬＡＮコネクタ４に接続されている。このＬＡＮコネクタ４にはＬＡＮケーブル５を介してルータ等の通信アダプタ６が有線接続されており、さらに通信アダプタ６にはＬＡＮケーブル７を介して電話親機８が接続されている。
【００１５】
この部屋Ｒ１に隣接する部屋Ｒ２には、電話子機１０が配置されており、この電話子機１０にはＬＡＮケーブル９を介してデジタルＴＶ３０が接続されている。電話親機８及び電話子機１０は、コードレス電話システムを構成するものであり、特に本実施の形態ではＩＰプロトコルを用いて通話を行う光ＩＰ電話機として機能する。なお、電話子機１０及びデジタルＴＶ３０を除く各機器については従来と同様に構成することができるのでその説明を省略する。
【００１６】
（構成−電話子機）
次に、電話子機１０の構成について説明する。図２は電話子機１０を機能概念的に示すブロック図である。この電話子機１０は、従来のコードレス電話システムにおける電話子機と同様の機能に加えて、デジタルＴＶ３０をアダプタに接続するための中継機能を有するもので、機能概念的には、アンテナ１１、送受信切替部１２、受信部１３、送信部１４、制御部１５、スピーカ１６、マイク１７、テンキー１８、ディスプレイ１９、ＬＡＮコネクタ２０を備えて構成されている。
【００１７】
アンテナ１１は、電話親機８からの電波を受信すると共に電話親機８に対して電波を送信する。送受信切替部１２は、アンテナ１１に対する受信部１３と送信部１４の接続を切替える。受信部１３は、アンテナ１１を介して受信された電波の復調等を行ってデジタルの受信信号を出力する。送信部１４は、送信信号の変調等を行ってアンテナ１１を介して電波を出力する。制御部１５は、受信部１３から出力された受信信号を音声信号に変換してスピーカ１６を介して出力し、あるいは、マイク１７を介して入力された音声信号を送信信号に変換して送信部１４に出力するもので、この際には必要に応じてＡ／Ｄ変換やＤ／Ａ変換を行う。さらに、制御部１５は、テンキー１８を介して行われた入力操作に応じた処理や、ディスプレイ１９の表示制御処理を行う。特に、制御部１５は、ＬＡＮコネクタ２０を介してデジタルＴＶ３０との間における通信を制御する。スピーカ１６、マイク１７、テンキー１８、及びディスプレイ１９については、従来と同様に構成することができるのでその説明を省略する。
【００１８】
ＬＡＮコネクタ２０は、電話子機１０をデジタルＴＶ３０に対して有線接続するもので、例えばＲＪ−４５コネクタとして構成される。なお、実際には、ＬＡＮコネクタ２０はネットワークボードを介して制御部１５に接続されるが、ここではネットワークボードの機能を制御部１５の機能に含めて説明する。アンテナ１１、送受信切替部１２、受信部１３、及び送信部１４は、特許請求の範囲における無線通信手段に対応し、ＬＡＮコネクタ２０は、特許請求の範囲における接続手段に対応し、制御部１５は、特許請求の範囲における通信制御手段に対応する。受信部１３、送信部１４、又は制御部１５は、例えば、ＣＰＵ（Ｃｅｎｔｒａｌ  Ｐｒｏｃｅｓｓｉｎｇ  Ｕｎｉｔ）と当該ＣＰＵにおいて解釈実行されるプログラムとを含んで構成されている（後述する制御部３７も同様）。
【００１９】
（構成−デジタルＴＶ）
次に、デジタルＴＶ３０の構成について説明する。図３はデジタルＴＶ３０を機能概念的に示すブロック図である。このデジタルＴＶ３０は、従来のデジタルＴＶと同様の機能に加えて、電話子機１０を制御する機能を有するもので、機能概念的には、ＬＡＮコネクタ３１、送受信部３２、音声信号処理部３３、画像信号処理部３４、スピーカ３５、ディスプレイ３６、及び制御部３７を備えて構成されている。
【００２０】
ＬＡＮコネクタ３１は、デジタルＴＶ３０を電話子機１０に対して有線接続するもので、例えばＬＡＮコネクタ２０と同様に構成される。なお、実際には、ＬＡＮコネクタ３１はネットワークボードを介して送受信部３２に接続されるが、ここではネットワークボードの機能を送受信部３２の機能に含めて説明する。送受信部３２は、ＬＡＮコネクタ３１を介して入力された信号を必要に応じて復調等して出力し、あるいは、送信信号の変調等を行ってＬＡＮコネクタ３１に出力する。音声信号処理部３３は、制御部３７からの音声信号を必要に応じてＤ／Ａ変換等してスピーカ３５に出力する。画像信号処理部３４は、制御部３７からの画像信号をディスプレイ３６に出力する。スピーカ３５及びディスプレイ３６については、従来と同様に構成することができるのでその説明を省略する。制御部３７は、デジタルＴＶ３０の各部を制御するもので、機能概念的に電話子機制御部３７ａを備える。この電話子機制御部３７ａは、電話子機１０を制御するためのもので、特許請求の範囲における電話子機制御手段に対応する。
【００２１】
（処理内容）
次に、このように構成された電話システムにおける処理内容について説明する。電話親機８又は電話子機１０にて電話を行う場合は、ユーザが従来と同様にこれら電話親機８又は電話子機１０を操作することで、アダプタ及びＯＮＵ２を介してインターネットに接続し、ＩＰプロトコルを用いた通話を行うことができる。
【００２２】
また、インターネットからＯＮＵ２及び通信アダプタ６を順次介して送信された放送信号は、電話親機８を介して電話子機１０に無線送信される。電話子機１０においては、放送信号をアンテナ１１及び受信部１３を介して受信し、制御部１５を経由してＬＡＮコネクタ２０へ出力する。この放送信号は、ＬＡＮケーブルを介してデジタルＴＶ３０にＬＡＮコネクタ３１に入力され、デジタルＴＶ３０の音声信号処理部３３による音声信号処理を経てスピーカ３５から音声出力が行われ、あるいはデジタルＴＶ３０の画像信号処理部３４による画像信号処理を経てディスプレイ３６から画像出力が行われることで、ユーザがＴＶを視聴することができる。
【００２３】
ここで、電話子機１０の電源がＯＦＦとなっている場合には、電話親機８からの放送信号を受信できない可能性がある。このためデジタルＴＶ３０の電話子機制御部３７ａは、所定間隔（例えば電話子機１０において、所定間隔以内に入力がない場合に自動的に電源をＯＦＦとする機能を備えている場合には、当該ＯＦＦとする所定間隔より短い間隔）で、電話子機１０に対して制御信号を出力することで、当該電話子機１０の電源をＯＮに維持し、電話親機８からの放送信号を常時受信可能とする。あるいは、デジタルＴＶ３０の電源がＯＮとなった場合に、電話子機１０に対して制御信号を出力することで、電話親機８からの放送信号を受信可能としてもよい。さらには、所定時刻のＴＶ視聴が予約されているような場合には、当該所定時刻の到来をデジタルＴＶ３０の図示しない公知の時計機能を用いて判定し、当該所定時刻が到来した時点で電話子機１０に対して制御信号を出力するようにしてもよい。
【００２４】
（本実施の形態の効果）
本実施の形態によれば、電話親機８及び電話子機１０を介してデジタルＴＶ３０に放送信号を出力できるので、部屋Ｒ２に通信アダプタ６を増設したり、部屋Ｒ１から部屋Ｒ２にＬＡＮケーブル５、７を引き回す必要がなくなるので、デジタルＴＶ３０の設置が容易になると共に、デジタルＴＶ３０の設置位置の自由度を高めることができる。
【００２５】
〔II〕本実施の形態の変形例
以上、本実施の形態について説明したが、本発明の具体的な構成及び手段は、特許請求の範囲に記載した各発明の技術的思想の範囲内において、任意に改変及び改良することができる。以下、このような変形例について説明する。
【００２６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００２７】
（通信機器について）
上記実施の形態では、通信機器の一例としてデジタルＴＶ３０を挙げているが、任意の通信機器を配置してもよく、この通信機器の構成に応じて、電話子機１０のＬＡＮコネクタ２０を他の接続手段に変更すると共に電話子機１０の制御部１５の機能を変更することができる。例えば、通信機器は光ＩＰ電話機であってもよく、この場合には電話子機１０にはＬＡＮコネクタ２０に代えて電話回線用のモジュラージャックを設け、電話線を介して光ＩＰ電話機を電話子機１０に接続してもよい。また、このように増設した光ＩＰ電話機や上述のデジタルＴＶ３０にオートダイヤル機能を設け、所定間隔や所定時刻の到来時に所定の電話番号に対して自動的に発信し、電話子機１０を介して自動通信を行うようにしてもよい。また、通信機器は光ＩＰ電話機以外にも、通常の電話であってもよい。
【図面の簡単な説明】
【００２８】
【図１】本発明の実施の形態に係る電話システムを住宅内に設置した状態を模式的に示す機能図である。
【図２】図１の電話子機を機能概念的に示すブロック図である。
【図３】図１のデジタルＴＶを機能概念的に示すブロック図である。
【符号の説明】
【００２９】
Ｈ  住宅
Ｒ１、Ｒ２  部屋
１  光ケーブル
２  ＯＮＵ
３、５、７、９  ＬＡＮケーブル
４、２０、３１  ＬＡＮコネクタ
６  通信アダプタ
８  電話親機
１０  電話子機
１１  アンテナ
１２  送受信切替部
１３  受信部
１４  送信部
１５、３７  制御部
１６、３５  スピーカ
１７  マイク
１８  テンキー
１９、３６  ディスプレイ
３０  デジタルＴＶ
３２  送受信部
３３  音声信号処理部
３４  画像信号処理部
３７ａ  電話子機制御部
【図１】
2009224823.tif 000003
【図２】
2009224823.tif 000004
【図３】
2009224823.tif 000005